(57)【要約】【課題】  構造が極めて簡素で、安価に得られ、取り扱いが容易で、小型化も可能な芳香具を提供する。【解決手段】  芳香具１は、芳香液を含浸させることができる多孔質で固形の本体２と、この本体２の表面の一部を露出させて本体２に着脱自在に嵌合されるホルダ３とを具備する。ホルダ３は、弾性合成樹脂で一体に構成され、他の部材へ連結するための接続部４を備える。ホルダ３は本体の側面７の全面を覆う側壁８と、本体表面５の周縁を覆う第1の保持片９と、本体裏面６の周縁を覆う第２の保持片１０とを具備する。本体２は、ホルダ３の保持片９，１０を弾性変形させることにより、側壁８の内側に出し入れ自在である。【選択図】図４
0003143636.tif 000002
【実用新案登録請求の範囲】
【請求項１】
芳香液を含浸させることができる多孔質で固形の本体と、この本体の表面の一部を露出させて本体に着脱自在に嵌合されるホルダとを具備し、
前記ホルダは、弾性合成樹脂で一体に構成され、他の部材へ連結するための接続部を備えることを特徴とする芳香具。
【請求項２】
前記本体は、表面とその反対側の裏面と、表面と裏面との間を接続する側面とを有し、
前記ホルダは、前記本体の側面の全面を覆う側壁と、この側壁に連続して表面の周縁の少なくとも一部を覆う第1の保持片と、側壁に連続して裏面の周縁の少なくとも一部を覆う第２の保持片とを具備し、
前記本体は、前記ホルダの保持片を弾性変形させることにより、側壁の内側に出し入れ自在に構成されることを特徴とする請求項１に記載の芳香具。
【請求項３】
前記本体は多孔質セラミック製で、前記ホルダはシリコンゴム製であり、ホルダの接続部は携帯電話機用ストラップに連結可能に構成されることを特徴とする請求項１又は2に記載の芳香具。
【請求項４】
前記本体は円盤状であり、前記ホルダの保持片は側壁に連続して本体の表面又は裏面の全周縁を覆い、前記ホルダには保持片の内周に囲まれた円形の開口が形成されることを特徴とする請求項2に記載の芳香具。
【請求項５】
前記ホルダの接続部は、側壁から外側へ延出し、連結孔を備えた接続片からなることを特徴とする請求項2に記載の芳香具。
【考案の詳細な説明】
【技術分野】
【０００１】
この考案は、アロマオイルのような芳香液を保持して携帯することができる芳香具に関する。
【背景技術】
【０００２】
芳香成分を含む固形物を収容する芳香装置であって、固形物を内部に収容可能な空間を有する収容ケースと、固形物を挿入する開口に取り付ける蓋部とで構成される収容体と有するものが特許文献１に記載されている。この収容体は、携帯電話用ストラップのような装着手段を備え、少なくとも一部が、収容空間と外部とを通気するように網目状に形成されている。
【特許文献１】特開２００８−６１８１３号公報
【考案の開示】
【考案が解決しようとする課題】
【０００３】
上記従来の芳香装置においては、収容ケースの構造が比較的複雑で、高価なものとならざるを得ず、取り扱いも容易でなく、また小型化も制限される。
したがって、この出願に係る考案は、構造が極めて簡素で、安価に得られ、取り扱いが容易で、小型化も可能な芳香具を提供することを課題としている。
【課題を解決するための手段】
【０００４】
上記課題を解決するため、この出願に係る考案においては、芳香液を含浸させることができる多孔質で固形の本体２と、この本体２の表面の一部を露出させて本体２に着脱自在に嵌合されるホルダ３とを具備させて芳香具１を構成した。ホルダ３は、弾性合成樹脂で一体に構成され、他の部材へ連結するための接続部４を備える。
本体２は、表面５とその反対側の裏面６と、表面と裏面との間を接続する側面７とを有するものとし、ホルダ３は本体２の側面７の全面を覆う側壁８と、この側壁に連続して本体表面５の周縁の少なくとも一部を覆う第1の保持片９と、側壁８に連続して本体裏面６の周縁の少なくとも一部を覆う第２の保持片１０とを具備するものとし、本体２は、ホルダ３の保持片９，１０を弾性変形させることにより、側壁８の内側に出し入れ自在に構成することができる。
また、本体２は多孔質セラミック製とし、ホルダ３はシリコンゴム製とすることができ、ホルダ３の接続部４は携帯電話機用ストラップ１４に連結可能に構成することができる。
また、本体２は円盤状とし、ホルダ３の保持片９，１０は側壁８に連続して本体表裏面５，６の全周縁を覆うものとし、ホルダ３には保持片９，１０の内周に囲まれた円形の開口１１が形成されるものとすることができる。
また、ホルダの接続部４は、側壁８から外側へ延出し、連結孔１３を備えた接続片１２で構成することができる。
【考案の効果】
【０００５】
この出願に係る考案によれば、構造が極めて簡素で、安価に得られ、取り扱いが容易で、小型化も可能な芳香具を提供することができる。
【考案を実施するための最良の形態】
【０００６】
図面を参照してこの考案の実施の形態を説明する。図１は本考案に係る芳香具の正面図、図２は図１の芳香具の平面図、図３は図１におけるIII−III断面図、図４は図１の芳香具の斜視図、図５は図１の芳香具の使用状態を示す斜視図である。
【０００７】
図示の実施形態において、芳香具１は、芳香液を含浸させることができる多孔質セラミックのような多孔質で固形の本体２と、この本体２の表面の一部を露出させて本体に着脱自在に嵌合されるホルダ３とを具備する。
【０００８】
ホルダ３は、シリコンゴムのような弾性合成樹脂で一体に構成され、他の部材へ連結するための接続部４を備える。
【０００９】
本体２は、表面５とその反対側の裏面６と、表面５と裏面６との間を接続する側面７とを有するほぼ円盤状（扁平円柱状）である。
【００１０】
ホルダ３は、本体２の側面７の全面を覆う側壁８と、この側壁８に連続して表面５の周縁を環状に覆う第１の保持片９と、側壁８に連続して裏面６の周縁を環状に覆う第２の保持片１０とを具備する。したがって、ホルダ３には、保持片９，１０の内周に囲まれた円形の開口１１が形成される。
【００１１】
本体２は、ホルダ３の保持片９，１０あるいはホルダ３全体を弾性変形させることにより、側壁８の内側に容易に出し入れできるように構成される。
【００１２】
ホルダ３の接続部４は、側壁８から半径方向外側へ延出し、連結孔１３を備えた接続片１２からなり、例えば図5に示すように、携帯電話機用のストラップ１４等の他の部材へ連結することができる。
【００１３】
本体２はセラミックに限らず、また円盤形に限定されるものではなく、多角形板状、異形板状であってもよい。本体２の正面５および裏面６は平面に限定されず、図5に示すように、凹凸模様を具備してもよい。ホルダ３の保持片９，１０は、連続した環状に限定されず、不連続の複数であってもよい。
【００１４】
上記実施形態の芳香具1は、ホルダ３が弾性合成樹脂で一体成形され、構造が簡素で安価に提供できる。全体が弾性体で一体に構成されるため、本体２の出し入れ、交換等の取り扱いも容易であり、また小型化も容易である。本体２を適宜交換したり、含浸させるオイルを変更したりすることにより、様々な異なる香りを楽しむことができる。堅い本体２が軟らかいホルダ３で被覆されるので、携帯中に他の部材に衝突しても傷つける可能性が小さい。
【図面の簡単な説明】
【００１５】
【図１】本考案に係る芳香具の正面図である。
【図２】図１の芳香具の平面図である。
【図３】図１におけるIII−III断面図である。
【図４】図１の芳香具の分解斜視図である。
【図５】図１の芳香具の使用状態を示す斜視図である。
【符号の説明】
【００１６】
１    芳香具
２    本体
３    ホルダ
４    接続部
５    本体の表面
６    本体の裏面
７    本体の側面
８    側壁
９    保持片
１０  保持片
１１  開口
１２  接続片
１３  連結孔
１４  ストラップ
【図１】
0003143636.tif 000003
【図２】
0003143636.tif 000004
【図３】
0003143636.tif 000005
【図４】
0003143636.tif 000006
【図５】
0003143636.tif 000007